(57)【特許請求の範囲】
【請求項１】
軸パイプ（３）の上端に握手（１）を取り付、軸パイプ（３）の外側に操作パイプ（４）を指掛爪の操作により上下移動可能に取り付け、前記軸パイプ（３）の下端にヘラ（８）を上下回動可能に軸（３６）で取り付、前記操作用パイプ（４）の下端にヘラ操作用アーム（４４）を取り付け、前記アーム（４４）はヘラ（８）に軸（３７）で取り付、前記握手（１）と操作用パイプ（４）の間に同パイプを常時下方へ付勢するスプリングを介装してなる履物の向きを変える道具。
【発明の詳細な説明】
【技術分野】
【０００１】  本発明は、家庭の玄関及び事業所の玄関で使用するもの。
【背景技術】
【０００２】  今迄履物を整理するための道具はなかった。
【発明の開示】
【発明が解決しょうとする課題】
【０００３】  従来玄関内の床には外から入ってきた人が履物を室内方向に向けたまま置いてあるのが普通で、さらに人の出入が多い所では、バラバラになっていて、これを整理するのにはしゃがみこみ、はいつくばる様に行う事になり容易なことではない。
【０００４】  これらを容易に出来れば、いつも玄関内は整理整頓ができていて、来客の人から見て良い好感を得ることが出来る。
【０００５】  草履や下駄、サンダルにも対応出きる様にヘラの先を（３５）二股にしてさらにここの部分を上向きに曲げておく。
【０００６】  誰でも簡単に履物の向を変られる様にする。
【０００７】  用具の収納場所は既存の傘立に一緒に立て掛られる様にする。
【課題が解決する手段】
【０００８】  素材についてはプラスチックでも金属製でも可能である。
【０００９】  杖の様な長い柄の先端に履物を吊り上げるための（８）ヘラを設けて、このヘラを自由自在に垂直にしたり横向に出来る様する、これによつて履物の整理整頓が容易に出来る。
【００１０】  履物を確実に吊り上げるために、側面から見てちょうど釣針の様になっている、これを履物の中に差し込むと、奥の爪先に近い天井に当るので、これで上に引きあげれば履物は斜状になり、目的の場所まで移動が出来る。
【００１１】  使い方は、まず用具の先端部の（８）ヘラ部分を履物の中に差し込み（４７）指掛爪を引き上げると、（８）ヘラは横向きになるのでこのまま上に引き上げれば履物は斜状になり落すことなく目的の場所まで移動が出来る。
【００１２】  玄間がいつも整理されていて気持が良い。
【００１３】  手で整理をした状態を見ると向きは直っていても全体としてバラバラである。これは目と履物とが近いので全体のバランスが良く見えてないからである。本発明の道具を使うと、柄が長いので高い位置から見下すので、全体が良く見え少しの曲もわかり整頓がしやすい。
【発明を実施するための最良の形態】
【００１４】  以下本発明の実施形態を図面に基づき試作した時の寸法を入れ乍ら詳細に設明する【００１５】  図１は本発明の履物の向きを変える道具の側面透視図、道具の使い方の順序を図解した側面図で、（イ）（ロ）（ハ）（ニ）の順で使用する。【００１６】  （イ）は用具を履物の中に差しこむ、（ロ）指掛爪を指で引きあげる、（８）ヘラが履物のなかで横になり、履物の奥爪先に近い天井に当るのでこのまま上に持上げれば履物は斜状になり、移動が出来る。（ハ）はここで履物を下に置く、（ニ）最後に指掛爪からゆびを離せばヘラは簡単に抜きだせる。
【実施例】
【００１７】本発明を製作するには、別紙図面を参照し乍ら行うと良い。【００１８】  図６の本体（３）軸柄はＧ上部Ｆ面に（１３）の長穴を設ける、この穴はＥ面まで貫通しておく。ここは（４３）のカシメ軸を通して、（４３）のスプリングを受けるためと、スプリングを上下に動かすことを兼用するためである。巾約４ミリ、長さは約３センチぐらい、さらに本体軸柄（３）の下部Ａ面側のみ１部長穴を開けておく、ここは４ミリ巾、長さ４センチ開ける、ここは（３１）のリベット釘の頭が当らない様にしたバカ穴である。【００１９】  （４）操作パイプＧ上部のＦ面側に（２）の指掛爪の付いた部品を設けるための軸受孔（２０）を裏側Ｅ面まで貫通しておく。【００２０】  （４）操作パイプの下部ＨのＡ面側に（４４）のアームを固定するための（２１）のリベット釘の捜入孔を設ける。【００２１】  本発明を組立るには、まず、（４）の操作パイプの中に（３）の軸柄を通し（４）の操作パイプのＧ面側に（２）の指掛爪付部品をかぶせて（３２）のカシメ軸を（４）の操作パイプの（２０）の軸受孔へ通し固定する。次に（４）の操作パイプの下部Ｈ側から（４４）アーム付（５）はかまを下からかぶせる様に入れ込み（２１）の挿入孔より（３１）のリベット釘を挿入し固定する。【００２２】  （８）ヘラの取り付は（３）本体軸柄のＨ側から差し込み（３４）の軸受孔より（３６）の軸棒を通し（３）の本体軸柄を貫通し（８）のヘラが回動できるように固定する。さらに（３３）と（４４）の腕にある（３０）の軸受孔に（３７）の軸棒を差し込み回動できる様に固定する。（４３）のラセンスプリングを（３）本体軸柄パイプのＧ面側の中に挿入する。  最後に（１）握手の（９）ネジ山付の穴の中に接着剤を塗り付て、（３）の本体軸柄の（４６）の部分をネジ込み完成する履物の向きを変える道具。
【産業上の利用可能性】
【００２３】一般家庭の玄関及び事業所で活用できる。
【図面の簡単な説明】
【００２４】
【図１】は本発明の履物の向きを変える道具の全体図でＦ面から見た断面図
【図２】は本発明の履物の向きを変える道具の使い勝手を示した側面図
【図３】は（１）握柄でＧ面から見た平面図
【図４】は（１）の握柄でＨ面から見た平面図
【図５】は（１）の握柄でＦ面から見た断面図
【図６】は（３）本体軸パイプでＦ面からみた側面図
【図７】は（４）操作パイプでＦ面から見た側面図
【図８】は（４）の操作パイプの上部に設ける指掛爪付部品Ｆ面側から見た斜視図
【図９】は（３１）リベットピン（４３）ラセンスプリングの側面図
【図１０】の（４４）はアームでこのアームを付設した状たいを見た斜視図
【図１１】はカシメ軸で側面図
【図１２】は軸棒で側面図
【図１３】は履物を吊り上げるためのヘラで斜視図
【図１４】は本体軸と操作パイプに連結棒付のはかまとヘラの関係図
【符号の説明】
【００２５】１  握柄
２  指掛爪を設けた部品
３  本体軸パイプ
４  操作用パイプ
５  アームを付設した（はかま）
６  リベットピンを挿入するための孔
７  全長約４センチ
８  履物を吊り上げるためのヘラである
９  はネジ山付の穴
１０  は巾寸で約２５ミリ
１１  は長さで約１０センチ
１２  は厚さで約２０ミリ
１３  は長穴でここはＦ面、Ｅ面側に設けた長穴である、大きさは巾約４ミリ長さ３センチぐらい
１４  はＡ面のみに設けた長穴で約巾４ミリ長さ４センチ、ここは（３１）のリベット釘の頭が当らない様にするためのバカ穴である
１５  は軸受孔
１６  は外径１６ミリ
１７  は内寸１３ミリ
１８  は長さ７７５ミリ
１９  長さ７１０ミリ
２０  は軸受孔で約４ミリ
２１  はリベット挿入孔で約３，５ミリ
２２  は直径２０ミリ
２３  は内寸１６，５ミリ
２４  は内寸１６，５ミリ
２５  は軸受孔
２６  は内寸２０ミリ
２７  は直径１３ミリ
２９  はねじ山
３０  は軸受孔
３１  はリベットピン
３２  はカシメ軸（バネストッパー）を兼ねる
３３  は軸受孔
３４  は軸受孔
３５  ここは上向に曲げてこの先端に二股を設けて、草履、下駄などに対応する。
３６  は軸棒（４ミリ）
３７  軸棒（３ミリ）
３８  は６センチ
３９  ２０ミリ
４０  曲り角度３５度
４１  先端の巾３０ミリ
４２  は７０ミリ
４３  ラセンスプリング
４４  アーム
４５  は角度で約１０度ぐらい
４６  は指掛爪
４７  は３センチ
４８  は９センチ
４９  は支持板
Ａ，Ｂ，Ｅ，Ｆ，Ｇ，Ｈ，は展開方向を示す符号
（イ）（ロ）（ハ）（二）の記号は使い勝手の順序を示す符号
【図１】
0003940765.tif 000002
【図２】
0003940765.tif 000003
【図３】
0003940765.tif 000004
【図４】
0003940765.tif 000005
【図５】
0003940765.tif 000006
【図６】
0003940765.tif 000007
【図７】
0003940765.tif 000008
【図８】
0003940765.tif 000009
【図９】
0003940765.tif 000010
【図１０】
0003940765.tif 000011
【図１１】
0003940765.tif 000012
【図１２】
0003940765.tif 000013
【図１３】
0003940765.tif 000014
【図１４】
0003940765.tif 000015